(57)【要約】【課題】複数の番組の中からユーザが視聴したい番組を、短時間、かつ、特別な操作を行なうことなく検索可能な放送受信装置を提供する。【解決手段】メモリ１４内の選局時刻リストに基づいて、制御部１１は、選局頻度を算出することで、ユーザによるザッピング操作が自動的に判断し、放送中のすべての番組を一覧にした番組リスト表示を行う。【選択図】図２
2007005873.tif 000002
【特許請求の範囲】
【請求項１】
放送チャンネルを選局する選局手段と、
チャンネルの選局が行われる毎に該選局を行った時刻情報を記憶する記憶手段と、
該記憶手段の記憶情報に基づいて、所定期間に複数のチャンネル選局がされていると判定すると、各放送局が放送している番組に関する情報を表示するように制御する制御手段と、
を備える放送受信装置。
【請求項２】
前記制御手段は、チャンネルのアップ選局からダウン選局への切り替わり、またはダウン選局からアップ選局への切り替わりを前記チャンネル選局として判断することを特徴とする請求項１記載の放送受信装置。
【請求項３】
前記制御手段は、チャンネルを選局してから所定時間経過後に新たなチャンネルが選局されると前記チャンネル選局として判断することを特徴とする請求項１記載の放送受信装置。
【請求項４】
チャンネルの選局が行われる毎に該選局を行った時刻情報を記憶し、該記憶した選局を行った時刻情報に基づいて、ザッピングと判定される場合には、各放送局が放送している番組に関する情報を表示することを特徴とする表示制御方法。
【請求項５】
前記ザッピングの判定は、所定期間に複数のチャンネル選局がされているか否かを判定し、所定期間に複数のチャンネル選局がされている場合にザッピングと判定することを特徴とする請求項４記載の表示制御方法。
【請求項６】
チャンネルのアップ選局からダウン選局への切り替わり、またはダウン選局からアップ選局への切り替わりを前記チャンネル選局として判断することを特徴とする請求項５記載の表示制御方法。
【請求項７】
チャンネルを選局してから所定時間経過後に新たなチャンネルが選局されると前記チャンネル選局として判断することを特徴とする請求項５記載の表示制御方法。
【発明の詳細な説明】
【技術分野】
【０００１】
本発明は、放送受信装置に関し、特に、ユーザに効率よく番組探索が行えることを提供する放送受信装置に関する。
【背景技術】
【０００２】
放送受信装置として、例えば携帯電話機に、テレビチューナを内蔵しているものが知られている（たとえば、下記特許文献１）。また、地上波デジタル放送または衛星デジタル放送では、主に、携帯性の高い小型受信機向けに、１または３セグメントの伝送帯域を使用した放送が予定されている。
【０００３】
一般に、ユーザがテレビやラジオなどの番組を視聴するときには、チャンネルを次々と切り換える（所謂、ザッピングを行う）ことにより所望の番組を検索して視聴したりする操作が行われる（以下、適宜“ザッピング”という）。
かかるザッピング操作に関し、ユーザの操作性を向上させる観点から様々な技術が知られている。
【０００４】
たとえば、視聴者がザッピング指示すると、ザッピング画面に切り替わり、一定時間間隔でチャンネルが自動的に順次走査され、表示装置に表示されるチャンネル映像が変化し、ザッピング操作中に、視聴者が見たい番組を見つけ、番組決定選択すると、ザッピング操作が停止し、選択した番組の映像が表示装置に表示する技術（自動ザッピング機能）が知られている（特許文献２参照）。
【０００５】
【特許文献１】特開２０００−９９２０号公報
【特許文献２】特開２００１−２３７７８９号公報
【発明の開示】
【発明が解決しようとする課題】
【０００６】
ところで、通常、ザッピング操作はユーザが積極的に行う操作というものではなく、現在視聴している番組が気に入らないため、何気なく他の適当な番組に切り替えるという動作を繰り返す際に発生する操作である。したがって、上述した自動ザッピング機能を設けても、ユーザとしてはわざわざ自動ザッピング機能を起動するよりも自ら適当にチャンネルを切り替える方が自分の意思も反映されるため短時間且つ効率的に選局できるため、この自動ザッピング機能は実際に利用されない可能性が高い。
【０００７】
しかしながら、ユーザが自ら適当にチャンネルを切り替えるにしても同時刻において他のチャンネルがどのような番組を放送しているかを知っているか否かによって、ザッピング操作にかかる時間も効率も違ってくる。
【０００８】
上述した観点に鑑み、本発明の目的は、ユーザが効率よく番組探索が行えることが出来る放送受信装置を提供することにある。
【課題を解決するための手段】
【０００９】
上記課題を克服するために、本発明の第１の観点は、放送チャンネルを選局する選局手段と、チャンネルの選局が行われる毎に該選局を行った時刻情報を記憶する記憶手段と、該記憶手段の記憶情報に基づいて、所定期間に複数のチャンネル選局がされていると判定すると、各放送局が放送している番組に関する情報を表示するように制御する制御手段と、を備える放送受信装置である。
【００１０】
好適には、前記制御手段は、チャンネルのアップ選局からダウン選局への切り替わり、またはダウン選局からアップ選局への切り替わりを前記チャンネル選局として判断する。
【００１１】
好適には、前記制御手段は、チャンネルを選局してから所定時間経過後に新たなチャンネルが選局されると前記チャンネル選局として判断する。
【００１２】
上記課題を克服するために、本発明の第２の観点は、チャンネルの選局が行われる毎に該選局を行った時刻情報を記憶し、該記憶した選局を行った時刻情報に基づいて、ザッピングと判定される場合には、各放送局が放送している番組に関する情報を表示することを特徴とする表示制御方法である。
【００１３】
好適には、前記ザッピングの判定は、所定期間に複数のチャンネル選局がされているか否かを判定し、所定期間に複数のチャンネル選局がされている場合にザッピングと判定する。
【００１４】
好適には、チャンネルのアップ選局からダウン選局への切り替わり、またはダウン選局からアップ選局への切り替わりを前記チャンネル選局として判断する。
【００１５】
好適には、チャンネルを選局してから所定時間経過後に新たなチャンネルが選局されると前記チャンネル選局として判断する。
【発明の効果】
【００１６】
本発明によれば、ユーザが効率よく番組探索を行うことが出来る。
【発明を実施するための最良の形態】
【００１７】
本発明に係る放送受信装置の一実施形態として、地上波デジタル放送（１セグメント放送）を受信可能な携帯電話機１について述べる。
図１は、本実施形態に係る携帯電話機１の外観形状の一例であり、図２は、本実施形態に係る携帯電話機１のブロック構成図の一例を示す図である。
以下、図１および図２に関連付けて、携帯電話機１の主要な構成要素について述べる。
【００１８】
無線部１３は、電波を利用した無線通信を行うために、制御部１１で処理された音声情報、電子メール等の各種データを変調して送受信アンテナ１２により図示しない基地局に送信する。
また、無線部１３は、基地局から無線信号により送信され、送受信アンテナ１２で受信した電子メールや音声情報等の各種データを復調して制御部１１に送出する。
【００１９】
メモリ１４は、通話やメール、インターネットブラウザ等のアプリケーションプログラム、メールデータ、名前および電話番号などが登録されたアドレス帳の各種データなど、本実施形態の携帯電話機１が有する様々なデータを記憶する。また、メモリ１４は、後述する選局時刻リストを記憶する。選局時刻リストは、一定期間内に選局が行われた複数の時刻データを含むデータである。
【００２０】
キー操作部１５は、複数の操作キーを含んで構成される。
図１に示すように、例えば、複数のキーは、インターネットに接続するためのウェブキー１５ａ、電子メール機能を実行するためのメールキー１５ｂ、ソフト１キー１５ｃおよびソフト２キー１５ｆ、上下左右キー１５ｄ、処理を確定させるための決定キー１５ｅ、発信（発呼）するためのオフフックキー１５ｇ、クリアキー１５ｈ、終話するためのオンフックキー１５ｉ、「０」〜「９」の数字、「＊」、「＃」に対応したテンキー１５ｊからなる。
【００２１】
上下左右キー１５ｄは、上下左右の４方向の操作が可能なキーである。たとえば、上下左右キー１５ｄの上下の操作によって、デジタル放送のチャンネルをアップ／ダウンさせて選局操作を行うことができる。
【００２２】
テンキー１５ｊは、数字などのボタンがデジタル放送のチャンネル番号に割り当てられ、ボタンを押すことによりデジタル放送のチャンネルの選局操作を行うことができる。
【００２３】
受信アンテナ２０、チューナ１６、復調部１７、および多重分離部（ＴＳ分離部）１８は、本発明の再生手段を構成し、携帯電話機１におけるデジタル放送の受信／映像信号／音声信号／データ信号等の出力を行う。
【００２４】
受信アンテナ２０は、デジタル放送波を常時、連続的に受信し、チューナ１６は、キー操作部１５に対する操作に応じて制御部１１から指令されたチャンネルを選局し、選局したチャンネルの放送内容、すなわち、トランスポートストリーム（ＴＳ）を復調部１７に出力する。
【００２５】
復調部１７は、選局され受信したチャンネルのトランスポートストリーム（ＴＳ）を復調する。
なお、復調されたトランスポートストリーム（ＴＳ）にスクランブルがかかっている場合には、図示しないデスクランブラにてスクランブルの解除を行なう。すなわち、デスクランブラは、特定のデジタル放送受信装置のみが再生できることを許可する（限定受信方式の暗号化された放送を解読する）処理を行う。そして、トランスポートストリーム（ＴＳ）がスクランブル処理されている場合、制御部１１の指示のもとで動作し、スクランブル処理方式に則したデスクランブル処理を行う。
【００２６】
トランスポートストリーム（ＴＳ）は、例示的なＴＳを図３に図解したように、音声信号と、映像信号と、データ信号と、番組情報とがパケット単位で多重化されている。たとえば、音声信号と映像信号とはＭＰＥＧ方式で圧縮符号化されている。
また、データ信号には、ＥＰＧデータ（電子番組ガイド）が含まれる場合がある。
【００２７】
上記トランスポートストリーム（ＴＳ）信号は、多重分離部（ＴＳ分離部）１８にて、パケット毎に、映像信号、音声信号（音響／音声）、データ信号、番組情報に分離される。
分離された映像信号は、画像処理部１９にて、たとえば、ＭＰＥＧ方式で復号されて映像として表示部２３に表示される。
分離された音声信号は、音声処理部２２にて、たとえば、ＭＰＥＧ方式で復号され、音声および／または音響としてスピーカ２４から出力される。
分離されたデータ信号は、データ処理部２１でその内容を解析し、データ信号の内容が放送サービスに関係しているものである場合には、表示部２３などにおいて表示・再生可能なように復号し、表示又は再生を行なう。たとえば、データ信号にＥＰＧデータが含まれる場合には、制御部１１にてデコードされてメモリ１４に保持される。このＥＰＧデータは、新たなＥＰＧデータを受信する毎に更新される。
【００２８】
画像処理部１９は、分離されたＭＰＥＧ方式の映像信号を復号し、映像信号を出力するとともに、表示部２３を駆動して表示部２３に映像を表示させる。なお、画像処理部１９は、デジタル放送の映像だけではなく、通話機能に応じたいわゆる待受画面や電話番号などを表示部２３に表示させることは言うまでもない。
【００２９】
音声処理部２２は、マイクロフォン（適宜マイクと略記する）２５より集音したユーザの音声に対して、フィルタリング処理や符号化処理などの所定の処理を行って音声信号を生成する。生成された音声データは、たとえば、無線部１３および送受信アンテナ１２を介して図示しない基地局へ通話のために送出される。
また、音声処理部２２は、送受信アンテナ１２および無線部１３を介して受信した音声データや、多重分離部（ＴＳ分離部）１８により分離された音声信号を増幅して、スピーカ２４に音声を出力させる。
【００３０】
制御部１１は、たとえば、デジタル放送（１セグメント放送）受信のためのアプリケーション（デジタル放送用アプリケーション）を起動する。なお、当該アプリケーションが起動される場合、メモリ１４が記憶する当該アプリケーションのプログラムがＲＡＭ領域にロードされる。
【００３１】
また、制御部１１は、マイクロコンピュータを主体として構成され、携帯電話機１の全体の制御を行う。たとえば、制御部１１は、無線部１３における各種情報の無線による送受信の制御、音声処理部２２に対する音声情報の処理、表示部２３への情報の表示制御、キー操作部１５からの入力情報に応じた処理、メモリ１４に対するアクセス制御等を行う。
【００３２】
なお、制御部１１は、本発明のザッピング判定手段および制御手段の一実施形態である。
【００３３】
また、制御部１１は、現在時刻を計測する計時機能を有する。この計時機能により、制御部１１は、現在時刻から過去に遡って一定期間の間に選局が行われた時刻を秒単位で計測し、メモリ１４内の選局時刻リストに格納する。図４は、この選局時刻リストの一例を示す図である。図４に示す例では、２０番目から１番目にかけて選局の度に新しい選局時刻データが積み上げられたデータとなっている。
【００３４】
制御部１１は、キー操作部１５による選局頻度からザッピング操作が行われたか否かを判定するザッピング判定機能を有する。そして、ザッピング操作が行われたと判断した場合には、表示部２３が現在放送中の番組のリスト（一覧）を表示するように、チューナ１６、復調部１７、ＴＳ分離部１８を制御する。
ザッピング機能の動作については、後述する。
【００３５】
次に、携帯電話機１におけるザッピング判定動作について、図５のフローチャートを用いて説明する。
選局時刻リストには、常に現在から遡って所定の期間に選局が行われた際の時刻データが履歴として記憶されている。そして、制御部１１は、選局が行われたと判断すると（ステップＳＴ１０）、メモリ１４内の選局時刻リストに現在の時刻データを追加する（ステップＳＴ１１）。
【００３６】
次に、選局時刻リストの中で最も古い時刻データを制御部１１の内部変数Ｔに記述するとともに（ステップＳＴ１２）、（現在時刻−Ｔ）が所定の閾値Ｘよりも小さいか否かが判定される（ステップＳＴ１３）。そして、（現在時刻−Ｔ）が閾値Ｘよりも大きい場合には、最も古い時刻データを記憶してから十分に時間が経過したものと判断して、選局時刻リスト中の最も古い時刻データを消去する（ステップＳＴ１４）。
【００３７】
ステップＳＴ１３で（現在時刻−Ｔ）が閾値Ｘ以下である場合には、選局時刻リスト内の時刻データの数（データ数）が所定の閾値Ｙよりも大きいか否かが判定される（ステップＳＴ１５）。データ数の方が大きい場合には、一定時間内に多くの時刻データが選局時刻リスト内に存在する、すなわち、選局頻度が高くザッピング選局操作であると判断して、後に例示する番組情報の表示動作を行う（ステップＳＴ１６）。
【００３８】
次に、番組情報の表示動作について説明する。
図６は、表示部における番組情報の表示動作の一例を示す図である。
【００３９】
図６（ａ）は、ある時刻における表示部２３の表示画面の一例であり、図ではチャンネル：６が選択されている。そして、上述した動作によって、ザッピング操作であると判定されると、各放送局の番組情報（番組に関する情報）の表示を行う。この番組情報（番組に関する情報）の表示として、例えば図６（ｂ）に示すように表示部２３の下段に、現在放送中のすべての放送局の番組の映像および／またはタイトル、または、番組内容を簡単なテキストで示した番組情報（以下、適宜“番組リスト” という）を表示して、その上段に、上下左右キー１５ｄによって番組リストの中から選択された１つの番組（図では、チャンネル：４）を拡大して映像表示する。
【００４０】
なお、図６（ｂ）で例示するように、番組リストでは、放送視聴開始後から視聴したことのない番組、視聴したことのある番組、現在視聴中の番組などを、それぞれ異なる色で区別して表示するようにしてもよい。
また、番組リストは、受信したデータ信号に含まれるＥＰＧデータに基づいて生成してもよく、ＥＰＧ情報に基づく番組リストの場合、記憶部に保存されたＥＰＧ情報がまだ有効であれば即時その番組情報を表示し、情報のない番組についてはＥＰＧ情報が得られ次第段階的に表示する。尚、各放送局の放送波を受信しなければ各放送局のＥＰＧデータを取得できないシステムにおいては、順次チューナを各放送局に切り替えてＥＰＧデータを取得して番組リストを生成する。また、チューナを複数搭載している場合は、選局中の番組の映像を表示しつつ番組リストを生成することが可能である。
また、すべての番組に関する情報を放送する放送局があれば、その放送局を選局するようにしてもよい。
また、この番組リストのＥＰＧデータは、無線部１３を介してインターネット上のサーバから取得したＥＰＧデータを用いても良い。
【００４１】
そして、番組リストを表示してから、一定期間操作が行われない（新たなチャンネルの選局が行われない）場合には、図６（ｃ）に示すように、その時点において、番組リスト上において選択されている（選択枠内の）番組（チャンネル）を表示部２３の画面一杯に表示する（全画面表示する）。なお、番組リスト上の選択枠（カーソル）を利用して決定選択することにより選択されたチャンネルを選局することも可能である。
【００４２】
次に、選局判断の好ましい方法について、図７に関連付けて述べる。
図７では、上下左右キー１５ｄの操作に応じた選局判断を示す図である。
【００４３】
携帯電話機１では、上下左右キー１５ｄの上下方向の操作に応じてチャンネルの切替（チャンネル選局）が行なわれる。そして、制御部１１では、１方向（上方向または下方向）のキー操作に応じて表示される番組が切り替わった後、所定時間（図では、たとえば１秒）内にその方向と同一方向のキー操作が行なわれたか、または、その方向と逆方向のキー操作が行なわれたことをもって、選局が行われたと判断する。つまり、チャンネルのアップ選局からダウン選局への切り替わり、またはダウン選局からアップ選局への切り替わりを選局が行われたと判断する。
【００４４】
図７において、下方向操作（ダウン選局）によって図７（ａ）の番組表示がなされ、視聴期間０．２秒の後、さらに同一方向の下方向操作によって図７（ｂ）に示す番組表示がなされた場合には、視聴期間が１秒に満たないため、選局されたと判断されない。図７（ｂ）の表示（チャンネルの選局）から視聴期間１．２秒の後（所定時間経過後）、下方向操作（チャンネルの選局）によって図７（ｃ）に示す新たな番組表示がなされた場合には、閾値１秒を超えているため、ザッピングを判断する要素としての選局がされたと判断する。図７（ｃ）の表示から視聴期間０．２秒の後、今までと逆の上方向操作（アップ選局）により図７（ｄ）に示す番組表示がなされた場合には、視聴時間は１秒に満たないが、操作方向が切り替わったため、ザッピングを判断する要素としての選局がされたと判断する。
【００４５】
このように、通常行われる、連続した同一方向の操作による番組の切替等を、ザッピング判定における選局であると判断しないようにすることで、ザッピング判定の精度を高めることができる。
【００４６】
以上説明したように、本実施形態に係る携帯電話機１によれば、メモリ１４内の選局時刻リストに基づいて、選局頻度を算出することで、ユーザによるザッピング操作が自動的に判断されると、各放送局の番組情報（番組に関する情報）の表示を行う。また、番組情報（番組に関する情報）の表示を利用して、所望の番組を選択可能になる。
したがって、ユーザは、自ら特別な操作を行なうことなく、視聴したい番組を短時間で効率的に選択することが可能となる。
【００４７】
上述した実施の形態は本発明の例示にすぎず、本発明が上述した実施の形態に限定されるわけではない。たとえば、上述した実施形態では、デジタル放送の場合を一例に説明したが、アナログ放送の場合についても適用できる。
【図面の簡単な説明】
【００４８】
【図１】本実施形態に係る携帯電話機の外観形状の一例である。
【図２】本実施形態に係る携帯電話機のシステム構成の一例を示す図である。
【図３】トランスポートストリーム（ＴＳ）の構成の一例を示す図である。
【図４】選局時刻リストの一例を示す図である。
【図５】ザッピング判定動作を示すフローチャートである。
【図６】番組リストの表示動作の一例を示す図である。
【図７】キー操作に応じた選局判断を示す図である。
【符号の説明】
【００４９】
１…携帯電話機
１１…制御部
１２，２０…送受信アンテナ
１３…無線部
１４…メモリ
１５…キー操作部
１６…チューナ
１７…復調部
１８…ＴＳ分離部
１９…画像処理部
２１…データ処理部
２２…音声処理部
２３…表示部
２４…スピーカ
２５…マイクロフォン
【図１】
2007005873.tif 000003
【図２】
2007005873.tif 000004
【図３】
2007005873.tif 000005
【図４】
2007005873.tif 000006
【図５】
2007005873.tif 000007
【図６】
2007005873.tif 000008
【図７】
2007005873.tif 000009